(57)【要約】      （修正有）【課題】薄型レジスタへの適用が可能となり、後可動ルーバのフィンに設ける係合用の切欠が小さくなり見栄えの悪化を防止し得るレジスタの操作ノブ装置を提供する。【解決手段】前可動ルーバ４の前フィン４１に操作ノブ６が長手方向に摺動可能に外嵌され、操作ノブ６の後部に係合脚部６３が設けられる。操作ノブ６を前フィン上で摺動させたとき、係合脚部６３を後可動ルーバ５の後フィン５１に係合させて後可動ルーバ５の向きを変える。係合脚部６３が操作ノブ６のノブ本体６１に対し枢支部６５を介して回動可能に枢支される。係合脚部６３の枢支部６５は、基部の両側にアーム部が設けられ、アーム部の先端外側に支持凸部６４ａが設けられる。両側の支持凸部６４ａは、ノブ本体６１の後部に設けた当接部にばね弾性力を持って当接する。【選択図】図１２
0003176607.tif 000002
【実用新案登録請求の範囲】
【請求項１】
レジスタ本体の通風路内に前可動ルーバと後可動ルーバが前後して設けられ、該前可動ルーバのフィンに操作ノブが長手方向に摺動可能に外嵌され、該操作ノブの後部に係合脚部が設けられ、該操作ノブを該フィン上で摺動させたとき、該係合脚部を後可動ルーバのフィンに係合させて後可動ルーバの向きを変えるレジスタの操作ノブ装置において、
該係合脚部が該操作ノブのノブ本体に対し枢支部を介して回動可能に枢支され、該係合脚部の枢支部には、基部の両側にアーム部が設けられ、該アーム部は、該アーム部の先端外側を、該ノブ本体の後部に設けた当接部にばね弾性力を持って当接させて配設され、該操作ノブを操作して該前可動ルーバの該フィンを回動させたとき、該操作ノブの係合脚部が該枢支部を中心に、該フィンと逆方向に回動することを特徴とするレジスタの操作ノブ装置。
【請求項２】
前記係合脚部の基部には、支軸部が前記アーム部の間に設けられ、前記ノブ本体には、該支軸部を回動可能に支持する軸受部が設けられ、該支軸部の軸と直角方向に該支軸部を該軸受部に押し込み、該係合脚部を該ノブ本体に対し回動可能に嵌合させることを特徴とする請求項１記載のレジスタの操作ノブ装置。
【請求項３】
前記アーム部の先端外側に支持凸部が設けられ、該アーム部は、該両側の支持凸部を、該ノブ本体の後部に設けた当接部にばね弾性力を持って当接させて配設されたことを特徴とする請求項１または２記載のレジスタの操作ノブ装置。
【請求項４】
前記後可動ルーバのフィンの前部には、切欠付き係合部が前縁部に沿って設けられ、前記係合脚部が該切欠付き係合部を挟み込むように係合することを特徴とする請求項１乃至３記載のレジスタの操作ノブ装置。
【請求項５】
前記前可動ルーバの１本のフィンの縁部にストッパが突設され、該ストッパが該レジスタ本体内の側壁に設けた制限溝に係合し、該前可動ルーバの回動範囲が所定の角度に制限されることを特徴とする請求項１乃至４記載のレジスタの操作ノブ装置。
【考案の詳細な説明】
【技術分野】
【０００１】
本発明は、自動車室内等の換気や空調の空気吹出に使用されるレジスタの操作ノブ装置に関し、特に、薄型レジスタに好適な操作ノブ装置に関する。
【背景技術】
【０００２】
自動車用の空調用レジスタとして、風向等を調整するためにベゼル及びリテーナ内の通風路内に、前可動ルーバ及び後可動ルーバが各フィンを直交するように配設され、前可動ルーバのフィンに操作ノブをスライド可能に外嵌させ、操作ノブの操作により、前可動ルーバ及び後可動ルーバの方向を上下左右に変える構造を持った、所謂クロスフィンタイプのレジスタが使用されている。
【０００３】
この種のレジスタで使用される、前可動ルーバのフィンに摺動可能に外嵌された操作ノブは、下記特許文献１に記載されるように、ノブ本体の後部（上流側）に係合脚部が突き出すように設けられ、後方の後可動ルーバの１本のフィンに、その係合脚部を係合可能な係合部が設けられ、操作ノブの摺動により後可動ルーバの向きを変えるように構成される。
【先行技術文献】
【特許文献】
【０００４】
【特許文献１】特開２００４−２１０１１７号公報
【考案の開示】
【考案が解決しようとする課題】
【０００５】
ところで、近年、自動車のインストルメントパネルなどに装着されるレジスタは、インストルメントパネルの前面形状に合わせるように、且つデザイン性の向上のために、空気吹出口の形状を、例えば横長で細長い長方形状としたものが使用される場合があり、そのような横長で細長形状の空気吹出口を有するレジスタは、ダクト状の通風路を有するリテーナの形状も、横断面を横長で細長な長方形状として、所謂、薄型レジスタを構成している。
【０００６】
この種のレジスタは、通常、前可動ルーバの横フィンに、操作ノブがスライド可能に外嵌され、操作ノブを上下に動かすことにより、横フィンをその両側の支軸を中心に、上下に回動させて、送風方向を上下に振るように操作される。
【０００７】
しかし、上記のような薄型レジスタでは、リテーナの上下幅が小さく薄いため、前可動ルーバの方向を上下に振るために操作ノブを上下に回動させ場合、操作ノブの後部に突き出した係合脚部の先端が、リテーナの上面または下面に接触し、前可動ルーバの横フィンの振り角が制限される課題があった。
【０００８】
さらに、仮にリテーナの上下幅（高さ）を高くして前可動ルーバの横フィンの振り角の制限を解消したレジスタであっても、前可動ルーバの振り角を充分大きくするように設計すると、従来の操作ノブの係合脚部はその構造上、その後端部が大きく振れるため、後可動ルーバの縦フィンに設ける切欠付き係合部を大形化する必要があった。つまり、操作ノブを上下に振ったとき、係合脚部の後端部が大きく振れるために、操作ノブの係合脚部が係合する縦フィンの切欠付き係合部を大形にせざるを得ない。このため、レジスタを正面から見たとき、縦フィンの前部に大形の切欠やストッパが現れ、レジスタの正面視の見栄えを悪化させる課題がある。
【０００９】
本考案は、上記の点に鑑みなされたもので、薄型レジスタへの適用が可能となり、後可動ルーバのフィンに設ける係合用の切欠が小さくなり見栄えの悪化を防止し得るレジスタの操作ノブ装置を提供することを目的とする。
【課題を解決するための手段】
【００１０】
上記目的を達成する本考案のレジスタの操作ノブ装置は、レジスタ本体の通風路内に前可動ルーバと後可動ルーバが前後して設けられ、該前可動ルーバのフィンに操作ノブが長手方向に摺動可能に外嵌され、該操作ノブの後部に係合脚部が設けられ、該操作ノブを該フィン上で摺動させたとき、該係合脚部を後可動ルーバのフィンに係合させて後可動ルーバの向きを変えるレジスタの操作ノブ装置において、
該係合脚部が該操作ノブのノブ本体に対し枢支部を介して回動可能に枢支され、該係合脚部の枢支部には、基部の両側にアーム部が設けられ、該アーム部は、該アーム部の先端外側を、該ノブ本体の後部に設けた当接部にばね弾性力を持って当接させて配設され、該操作ノブを操作して該前可動ルーバの該フィンを回動させたとき、該操作ノブの係合脚部が該枢支部を中心に、該フィンと逆方向に回動することを特徴とする。なお、ここで、上記前または前部とは通風路内を流れる空気流の下流側を意味し、上記後または後部とはその上流側を意味する。
【００１１】
この考案によれば、操作ノブを操作して前可動ルーバのフィンを回動させたとき、操作ノブの係合脚部がノブ本体に対し、枢支部を軸にフィンと逆方向に回動するので、係合脚部がノブ本体に対し側面視で略くの字状に回動することとなる。
【００１２】
このため、係合脚部の上方または下方（或いは両側）への突き出し回動がなくなり、リテーナの上壁と下壁間または両側壁間が短い薄型レジスタであっても、操作ノブを操作して前可動ルーバを振った際、操作ノブの係合脚部が壁に当接することがなくなり、前可動ルーバの振り角を充分に大きくしつつ、薄型レジスタへの適用が可能となる。
【００１３】
また、操作ノブの係合脚部を係合させるために、後可動ルーバのフィンに設ける係合用の切欠が小さくなって、見栄えの悪化を防止することができる。また、係合脚部の基部両側のアーム部はその外側先端を、ばね弾性力を持ってノブ本体の当接部に当接させるため、ノブ本体と係合脚部のアーム部間のガタツキによる異音の発生を防止することができ、また適度な操作荷重を付与することができる。
【００１４】
ここで、上記係合脚部の枢支部には、支軸部が上記アーム部の間に設けられ、上記ノブ本体には、該支軸部を回動可能に支持する軸受部が設けられ、該支軸部の軸と直角方向に該軸受部に押し込み、該係合脚部をノブ本体に対し回動可能に嵌合されるように構成することができる。これによれば、ノブ本体に対し係合脚部を押し込むようにするのみで、枢支部を嵌合させるとともに、アーム部の係合凸部と当接部を係合させ、簡単に係合脚部をノブ本体に対し回動可能に組み付けることができる。
【００１５】
また、上記アーム部の先端外側に係合凸部を設け、該アーム部は、該両側の係合凸部を、該ノブ本体の後部に設けた当接部にばね弾性力を持って当接させて配設されるように構成することができる。これによれば、操作ノブを操作して前可動フィンを回動操作したとき、係合凸部の摩擦抵抗により適度な操作荷重を付与することができる。
【００１６】
また、上記後可動ルーバのフィンには、切欠付き係合部が前縁部に沿って設けられ、上記係合脚部が該切欠付き係合部を挟み込むように係合する構造とすることが好ましい。これによれば、後可動ルーバのフィンに設ける切欠付き係合部の大きさを一層小形化することができ、見栄えの悪化を防止することができる。
【００１７】
また、上記前可動ルーバの１本のフィンの縁部にストッパを突設し、ストッパをレジスタ本体内の側壁に設けた制限溝に係合させるようにし、このストッパと制限溝との係合により、前可動ルーバの回動範囲を所定の角度に制限するように構成することが好ましい。これによれば、従来、後可動ルーバの切欠付き係合部に設けていた、前可動ルーバの回動角度範囲を制限する凸部をなくすことができ、正面視の見栄えの悪化を防止することができる。
【考案の効果】
【００１８】
本考案のレジスタの操作ノブ装置によれば、薄型レジスタへの適用が可能となり、後可動ルーバのフィンに設ける係合用の切欠が小さくなり見栄えの悪化を防止することができる。
【図面の簡単な説明】
【００１９】
【図１】本考案の一実施形態を示すレジスタの正面図である。
【図２】同レジスタの左側面図である。
【図３】同レジスタの斜視図である。
【図４】図１のIV-IV断面図である。
【図５】図１のV-V断面図である。
【図６】レジスタの分解斜視図である。
【図７】前フィン、後フィン、及び操作ノブ装置の拡大部分斜視図である。
【図８】操作ノブ装置の拡大分解斜視図である。
【図９】前フィン、後フィン、操作ノブ装置の取付関係を示す、背面から見た分解斜視図である。
【図１０】操作ノブ装置の水平横方向の拡大断面図である。
【図１１】前可動ルーバを下に振った状態の図４に対応した断面図である。
【図１２】前可動ルーバを上に振った状態の図４に対応した断面図である。
【図１３】後可動ルーバを右に振った状態の図５に対応した断面図である。
【図１４】後可動ルーバを左に振った状態の図５に対応した断面図である。
【図１５】他の実施形態の前フィンを示す、支軸近傍の部分斜視図である。
【考案を実施するための形態】
【００２０】
以下、本考案の一実施形態を図面に基づいて説明する。図は車両のインストルメントパネルなどに装着される空調用のレジスタを示している。図１に示すように、レジスタの外殻を形成するレジスタ本体１は、ダクト状に形成されたリテーナ２とリテーナ２の前部に嵌着されるベゼル３とからなり、リテーナ２の前部は、その下部が正面に突き出し、その上部が後方に後退した斜め形状に形成され、リテーナ２内には通風路９が形成されている。リテーナ２の前部に傾斜して取り付けられるベゼル３の前面部左側には、空気吹出口７とダンパダイヤル用の開口部が設けられている。空気吹出口７の正面形状及び通風路９の横断面形状は、横長の長方形状に形成される。
【００２１】
図４に示すように、リテーナ２内の前部またはベゼル３とリテーナ２の間の通風路９内に、前可動ルーバ４が配設され、前可動ルーバ４の上流側（後部）に後可動ルーバ５が配設され、さらに後可動ルーバ５の上流側にダンパプレート２０が配設される。前可動ルーバ４の前フィン４１と後可動ルーバ５の後フィン５１は、直交するように配置され、クロスフィンタイプのレジスタを構成する。なお、ここで、上記前または前部とは通風路９内を流れる空気流の下流側を意味し、上記後または後部とはその上流側を意味する。
【００２２】
前可動ルーバ４は、複数の前フィン４１を一定の上下間隔で、左右横方向に配置し、各前フィン４１は両側端の支軸４２を介してリテーナ２の前部に回動可能に保持される。リテーナ２前部の左右両側壁に、図６に示す如く、軸受部が設けられ、前可動ルーバ４の各前フィン４１の各支軸４２は、それらの軸受部に嵌挿され、前可動ルーバ４の各前フィン４１は所定の上下間隔をおいて、回動可能に支持されている。
【００２３】
また、図６に示すように、前可動ルーバ４の各前フィン４１の一方の端部には、支軸４２から偏位した位置に連結軸４４が突設され、連結軸４４には、リンクバー４３が連結される。リンクバー４３は図６に示すように、棒状に形成され、連結軸４４を嵌め込むための軸孔を一定間隔で設けて形成され、その軸孔に連結軸４４が回動可能に嵌挿される。このように、両側の支軸４２を軸受部に軸支されて水平に支持された各前フィン４１の連結軸４４は、１本のリンクバー４３により連結され、前可動ルーバ４の各前フィン４１は連動して上下に回動可能となっている。前可動ルーバ４の１本の前フィン４１には、操作ノブ装置となる操作ノブ６が、左右横方向に摺動可能に外嵌されている。
【００２４】
図４に示すように、通風路９内の前可動ルーバ４の上流側（後部）に後可動ルーバ５が配設される。後可動ルーバ５は、複数の後フィン５１を一定の左右間隔で縦方向に配置し、図６のように、各後フィン５１は突設された上の支軸５２を、リテーナ２内の前部の上部に嵌着した軸受部５６の軸孔にはめ込み、下の支軸５２はカバー部材１７に設けた軸孔にはめ込んで、回動可能に軸支される。カバー部材１７は、リテーナ２内の前底部をカバーするように取り付けられる。
【００２５】
後可動ルーバ５は、図６に示すように、各後フィン５１の上端部に連結軸５４が偏位して突設され、各後フィン５１の連結軸５４に１本のリンク部材５５が連結され、全ての後フィン５１が連動してその向きを左右に変え得る構造となっている。
【００２６】
さらに、後可動ルーバ５の中央の後フィン５１の前部には、操作ノブ６の係合脚部６３が係合するための、切欠付き係合部５３が設けられる。切欠付き係合部５３は、図７〜図９に示すように、前縁部に棒状の係合部を設けるとともに、比較的小型の半楕円状の切欠を設けて形成されている。また、この切欠付き係合部５３の切欠の縁部に沿って、図９に示すように、突条５３ａが設けられ、操作ノブ６を操作して前可動ルーバ４を上下に回動操作したとき、図１２，１３のように、係合脚部６３の内側がその突条５３ａに当り、その反力で係合脚部６３が前フィン４１（ノブ本体６１）と逆方向に回動するようになっている。
【００２７】
また、操作ノブ６の後部に設けた二股状の係合脚部６３は、後フィン５１の切欠付き係合部５３を挟み込むように係合可能とされ、操作ノブ６を前フィン４１上で左右方向に摺動させたとき、この切欠付き係合部５３と係合し、後可動ルーバ５の後フィン５１を支軸５２の回りで回動させ、その向きを左右に変える構造となっている。
【００２８】
また、操作ノブ６の係合脚部６３は、枢支部６５の支軸部６５ａを介してノブ本体６１の軸受部６８に対し上下に回動可能に枢支される。係合脚部６３の枢支部６５には、その基部の両側にアーム部６４が後方に開くように設けられ、アーム部６４の先端外側には係合凸部６４ａが設けられる。枢支部６５の支軸部６５ａを、ノブ本体６１の軸受部６８に嵌入したとき、アーム部６４は、両側の係合凸部６４ａを、ノブ本体６の後部に設けた当接部６ｂに、ばね弾性力を持って当接させるように組み付けられる。これにより、操作ノブ６を操作して前可動ルーバ４の前フィン４１を上下に回動させたとき、操作ノブ６の係合脚部６３が枢支部６５及び係合凸部６４ａを中心に、前フィン４１と逆方向に回動し、これにより、係合脚部６３の回動範囲を小さく狭くしている。
【００２９】
すなわち、操作ノブ６は、図８〜図１０に示すように、ノブ本体６１と、ノブ本体６１上に嵌着されるノブカバー６２と、ノブ本体６１の後方に取り付けられる係合脚部６３とを備えて構成され、前可動ルーバ３の略中央の前フィン４１上に、操作ノブ６は方に突き出す形態で且つ左右に摺動可能に外嵌されている。つまり、ノブ本体６１内には、前フィン４１を挿入するための挿入空間が形成され、その挿入空間の後部に係合凸部６９がノブ本体６１の内側に向けて突設され、操作ノブ６を前フィン４１上に取り付けたとき、この係合凸部６９が前フィン４１の背面側の係合溝４９（図１０）に係合し、所定の幅で操作ノブ６が前フィン４１上を摺動可能としている。
【００３０】
また、ノブ本体６１の内側中央に、前フィン４１の前縁部をばね弾性力をもった押えるために、ばね部材６６が組み付けされる。ばね部材６６の中央にクリック用凸部６６ａが突設され、ノブ本体６１とノブカバー６２を前フィン４１上で摺動可能に組み付け、操作ノブ６を中央に位置させたとき、図１０のように、クリック用凸部６６ａが前フィン４１の背面側に設けられたクリック用凹部に当接する。
【００３１】
使用者は、これにより、操作ノブ６が中央位置にあることを認識できるようになっており、また、このばね部材６６が付勢力を持って前フィン４１を押圧しながら、操作ノブ６を前フィン４１上で左右にスライド可能に構成され、後可動ルーバ５の向きを左右に変えるように操作したとき、適正な操作荷重を生じさせ、中央位置でクリック節度感を生じさせるようになっている。
【００３２】
操作ノブ６の背面部（後部）には、上記のように、係合脚部６３が枢支部６５を介して上下に回動可能に軸支される。係合脚部６３は、図８〜図１０のように、二股状の脚部の基部の両側にアーム部６４が開くように設けられ、アーム部６４の間に、枢支部６５が設けられる。また、両アーム部６４の外側には係合凸部６４ａが設けられる。係合脚部６３は、枢支部６５を介して係合脚部６３はノブ本体６１の後部に、上下に回動可能に取り付けられるが、枢支部６５の中央つまり両アーム部６４の間には、支軸部６５ａが前フィン４１の長手方向と平行に設けられる。
【００３３】
一方、ノブ本体６１内の後部中央には、軸受部６８が設けられ、係合脚部６３はその枢支部６５の支軸部６５ａを、ノブ本体６１内中央の軸受部６８に上から押し込むようにして、上下に所定の角度範囲で回動可能に組み付けられる。また、このとき、両側のアーム部６４は、図１０のように、その外側の係合凸部６４ａがノブ本体６１内の両側に設けた当接部６１ｂにばね弾性力をもって当接するようにはめ込まれ、これにより、ガタツキや異音を発生させることなく、係合脚部６３がノブ本体６１に対し回動可能に取り付けられる。また、枢支部６５の摩擦抵抗と共に係合凸部６４ａの摩擦抵抗によって、操作ノブ６による前可動ルーバ４の回動操作時に適度な操作荷重を付与するしている。
【００３４】
図９に示すように、操作ノブ６のノブカバー６２の正面側と背面側には２対の係止爪６２ａが設けられ、ノブ本体６１に設けた係合孔６１ａに係止爪６２ａを嵌め込むことにより、ノブカバー６２をノブ本体６１に対し嵌着し、前フィン４１上で操作ノブ６を所定の範囲で摺動可能としている。なお、図８〜１０に示すように、操作ノブ６の前部におけるノブ本体６１とノブカバー６２の間には、金属めっき等を施した枠状の加飾部６７が取り付けられる。
【００３５】
操作ノブ６は、前フィン４１上で左右に摺動させたとき、図１３、１４のように、操作ノブ６の背面側に突設した係合脚部６３が後可動ルーバ５の後フィン５１の切欠付き係合部５３に係合し、後フィン５１をその支軸５２の回りで回動させ、後可動ルーバ５の後フィン５１の向きを左右に変える構造である。
【００３６】
また、操作ノブ６を持って上または下に回動操作すると、図１１，１２のように、前フィン４１が同様にその支軸４２を中心に上または下に回動し、このとき、操作ノブ６の後方に突出した係合脚部６３が、後可動ルーバ５の後フィン５１の切欠付き係合部５３に係合して前フィン４１とは逆方向に回動し、係合脚部６３と操作ノブ６は側面視で略くの字状態となり、係合脚部６３の先端の振り幅が小さくなるように動作する。
【００３７】
図４に示すように、リテーナ２内の通風路９内上流側には、ダンパプレート２０が配設される。ダンパプレート２０は、送風を止め或は風量を調整するために、ダンパダイヤル１０の回動操作により回動可能に軸支される。ダンパプレート２０の一方の側部にダンパ軸部が突設され、このダンパ軸部は、リテーナ２の側壁に設けた凹部に回動自在に嵌合される。ダンパプレート２０は板状に形成され、その縁部にスポンジシート２０ａが取着され、閉鎖時にはスポンジシート２０ａを通風路９の内周面に接触させて、密閉性を良好にしている。
【００３８】
ダンパプレート２０の他方の側部には、リテーナ２の挿入孔に外側から挿入される、ダンパ支持軸２１の先端部が嵌着され、ダンパプレート２０は、このダンパ支持軸２１と上記ダンパ軸部とにより回動可能に支持される。図２のように、ダンパ支持軸２１の外側先端部にはダンパレバー２２が設けられ、このダンパレバー２２にリンク部材１５が連結され、リンク部材１５の他端がダンパダイヤル１０のダイヤルレバー１３に連結され、ダンパダイヤル１０の回動操作に応じて、ダンパプレート２０が開閉動作するようになっている。
【００３９】
上記構成のレジスタは、自動車の車内のインストルメントパネルやダッシュボードの部分に、レジスタ本体１のリテーナ２の末端を、図示しない通風ダクトに接続するようにして装着される。通風ダクトから送られる空気は、リテーナ２内の通風路９から空気吹出口７を通して吹き出される。
【００４０】
空気吹出口７から正面方向に真直ぐ送風する場合、図１，４，５に示すように、操作ノブ６を中央位置で水平状態とし、前可動ルーバ４及び後可動ルーバ５の向きを正面方向とする。
【００４１】
送風方向を下に変える場合、操作ノブ６を下に回動操作すると、図１１のように、前可動ルーバ４の前フィン４１が支軸４２を中心に回動して、その向きが下に変化し、空気の吹出方向が下側に調整される。
【００４２】
このとき、操作ノブ６はその前部が前フィン４１とともに下側に回動し、その後方の係合脚部６３が支軸４２を中心に上側に振られる（回動する）が、係合脚部６３は、図１１のように、後フィン５１の切欠付き係合部５３の突条５３ａ（図７、９）に当接して、反力を受けるので、係合脚部６３は枢支部６５を介して操作ノブ６のノブ本体６１の後部とは逆方向（下側）に回動する。
【００４３】
このため、係合脚部６３は操作ノブ６のノブ本体６１に対し略くの字状に折れ曲ることとなり、係合脚部６３は後フィン５１の切欠付き係合部５３との係合を保持しながら、その先端部の振り角は小さくなる。したがって、この状態で、操作ノブ６を前フィン４１上で左右に摺動させれば、係合脚部６３が切欠付き係合部５３に係合し、後フィン５１が左右に回動することとなる。
【００４４】
一方、送風方向を上に変える場合、操作ノブ６を上に回動操作すると、図１２のように、前可動ルーバ４の前フィン４１が支軸４２を中心に回動して、その向きが上に変化し、空気の吹出方向が上側に調整される。
【００４５】
このとき、操作ノブ６はその前部が前フィン４１とともに上側に回動し、その後方の係合脚部６３が支軸４２を中心に下側に振られる（回動する）が、係合脚部６３は、図１２のように、後フィン５１の切欠付き係合部５３の突条５３ａ（図７、９）に当接して、反力を受けるので、係合脚部６３は枢支部６５を介して操作ノブ６のノブ本体６１の後部とは逆方向（上側）に回動する。
【００４６】
このため、係合脚部６３は上記とは逆方向であって、操作ノブ６のノブ本体６１に対し略くの字状に折れ曲ることとなり、係合脚部６３は後フィン５１の切欠付き係合部５３との係合を保持しながら、その先端部の振り角は小さくなる。したがって、この状態で、操作ノブ６を前フィン４１上で左右に摺動させれば、係合脚部６３が切欠付き係合部５３に係合し、後フィン５１が左右に回動することとなる。
【００４７】
このように、前フィン４１上の操作ノブ６を上下に振ったとき、その後部に突出した係合脚部６３がノブ本体６１に対し折れ曲るように動作するので、係合脚部６３の先端部の振れ角範囲を小さくすることができ、これにより、上下幅の狭い薄型レジスタにおいても、操作ノブ６を有効に使用することができる。また、操作ノブ６を上下に振ったときの、係合脚部６３の振れ角が小さくなるので、後フィン５１に設けられる切欠付き係合部５３の切欠の大きさを小さくすることができ、切欠によるレジスタ正面の外観の悪化を防止して、その見栄えを向上させることができる。また、係合脚部６３は両側のアーム部６４を、ばね弾性力をもってノブ本体６１側の係止部６１ａに当接させているので、ガタツキや異音の発生を防止することができる。
【００４８】
一方、風向を左右に変える場合、操作ノブ６を前フィン４１上で右または左にスライド摺動させるように操作する。このとき、図１３，１４に示すように、操作ノブ６の背面側の係合脚部６３が後可動ルーバ５の後フィン５１の切欠付き係合部５３に係合して、後フィン５１をその支軸５２の回りで回動させ、空気の吹出方向が左右に調整される。
【００４９】
なお、前フィン４１上の操作ノブ６を上下に振ったとき、その後部に突出した係合脚部６３がノブ本体６１に対し折れ曲るように動作させることによって、前フィン４１の回動範囲の制限角度が不定なものとなる場合がある。その場合には、図１５に示すように、前フィン４１の一方の端部に、ストッパ４５を突設し、それに対向する側壁面には、そのストッパ４５が係合するガイド孔４６を設け、ストッパ４５をガイド孔４６に係合させて回動動作させる。これにより、前フィン４１の回動範囲を所定の制限角度範囲に設定することができる。
【００５０】
また、上記実施形態のレジスタは、その正面の空気吹出口７が横長に形成され、前可動ルーバ４の前フィン４１が水平横方向に配設され、後可動ルーバ５の後フィン５１が縦方向に配設されていたが、それを９０度回転させ、正面の空気吹出口の形状を縦長に形成し、前可動ルーバの前フィンを鉛直方向（縦方向）に配置し、後可動ルーバの後フィン水平横方向に配置したレジスタに、本発明の操作ノブ装置を適用することもできる。その場合、操作ノブは鉛直姿勢の前フィンに外嵌され、上下に摺動させることとなる。
【符号の説明】
【００５１】
１      レジスタ本体
２      リテーナ
３      ベゼル
４      前可動ルーバ
４１      前フィン
５      後可動ルーバ
６      操作ノブ
６１      ノブ本体
６１ｂ    当接部
７      空気吹出口
９      通風路
１０    ダンパダイヤル
１３    ダイヤルレバー
１５    リンク部材
１７    カバー部材
２０    ダンパプレート
２０ａ  スポンジシート
２１    ダンパ支持軸
２２    ダンパレバー
４１    前フィン
４２    支軸
４３    リンクバー
４４    連結軸
４５    ストッパ
４６    ガイド孔
４９    係合溝
５１    後フィン
５２    支軸
５３    係合部
５３ａ  突条
５４    連結軸
５５    リンク部材
５６    軸受部
６１    ノブ本体
６１ａ  係止部
６１ｂ  当接部
６２    ノブカバー
６２ａ  係止爪
６３    係合脚部
６４    アーム部
６４ａ  係合凸部
６５    枢支部
６５ａ  支軸部
６６    ばね部材
６６ａ  クリック用凸部
６７    加飾部
６８    軸受部
６９    係合凸部
【図１】
0003176607.tif 000003
【図２】
0003176607.tif 000004
【図３】
0003176607.tif 000005
【図４】
0003176607.tif 000006
【図５】
0003176607.tif 000007
【図６】
0003176607.tif 000008
【図７】
0003176607.tif 000009
【図８】
0003176607.tif 000010
【図９】
0003176607.tif 000011
【図１０】
0003176607.tif 000012
【図１１】
0003176607.tif 000013
【図１２】
0003176607.tif 000014
【図１３】
0003176607.tif 000015
【図１４】
0003176607.tif 000016
【図１５】
0003176607.tif 000017
【手続補正書】
【提出日】平成24年4月13日(2012.4.13)
【手続補正１】
【補正対象書類名】実用新案登録請求の範囲
【補正対象項目名】請求項４
【補正方法】変更
【補正の内容】
【請求項４】
前記後可動ルーバのフィンの前部には、切欠付き係合部が前縁部に沿って設けられ、前記係合脚部が該切欠付き係合部を挟み込むように係合することを特徴とする請求項１乃至３の何れかに記載のレジスタの操作ノブ装置。
【手続補正２】
【補正対象書類名】実用新案登録請求の範囲
【補正対象項目名】請求項５
【補正方法】変更
【補正の内容】
【請求項５】
前記前可動ルーバの１本のフィンの縁部にストッパが突設され、該ストッパが該レジスタ本体内の側壁に設けた制限溝に係合し、該前可動ルーバの回動範囲が所定の角度に制限されることを特徴とする請求項１乃至４の何れかに記載のレジスタの操作ノブ装置。